(57)【要約】【課題】  本発明の課題は、損失の低減にある。【解決手段】  表示データに基づき、複数のアドレス電極をスキャン駆動回路でライン毎に駆動して各画素の表示状態を制御し、発光期間では、各表示画素に対応した容量負荷を有する複数の第一の放電維持電極と複数の第二の放電維持電極の間に交流電圧を印加して放電を行い表示を行うマトリックス表示装置であって、前記第一の放電維持電極と前記第二の放電維持電極の交流電圧の駆動の際に、前記容量負荷に対してインダクタを用いてＬＣ共振回路により電力回収を行う第一放電維持電極駆動回路と前記第二の放電維持電極駆動回路を有し、アドレススキャン動作の際には、前記スキャン駆動回路は、前記第一放電電極をライン毎に選択し、放電維持動作の際には、前記第一放電電極の電力回収を行う第一放電維持電極駆動回路として機能することを特徴とするマトリックス表示装置。【選択図】  図１
2010169839.tif 000002
【特許請求の範囲】
【請求項１】
表示データに基づき、複数のアドレス電極をスキャン駆動回路でライン毎に駆動して各画素の表示状態を制御し、発光期間では、各表示画素に対応した容量負荷を有する複数の第一の放電維持電極と複数の第二の放電維持電極の間に交流電圧を印加して放電を行い表示を行うマトリックス表示装置であって、
前記第一の放電維持電極と前記第二の放電維持電極の交流電圧の駆動の際に、前記容量負荷に対してインダクタを用いてＬＣ共振回路により電力回収を行う第一放電維持電極駆動回路と前記第二の放電維持電極駆動回路を有し、
アドレススキャン動作の際には、前記スキャン駆動回路は、前記第一放電電極をライン毎に選択し、放電維持動作の際には、前記第一放電電極の電力回収を行う第一放電維持電極駆動回路として機能することを特徴とするマトリックス表示装置
【請求項２】
前記スキャン回路は、高電圧出力用スイッチ回路と低電圧出力用スイッチ回路とを有し、アドレススキャン動作の際には、非選択ラインに対して前記高電圧出力用スイッチ回路は非選択である高電圧を出力し、選択ラインに対して前記低電圧出力用スイッチ回路は選択である低電圧を出力し、
放電維持動作の際には、前記高電圧出力用スイッチ回路は、電力回収動作のクランプアップ動作を行い、前記低電圧出力用スイッチ回路は、電力回収動作の回収スイッチ動作を行うことを特徴とする請求項１記載のマトリックス表示装置。
【請求項３】
放電維持動作の際に、交流電圧波形は、前記第一放電維持電極と前記第二放電維持電極が低電圧側で一旦同電位となり、その後、前記第一放電維持電極が高電圧、前記第二放電維持電極は低電圧を維持し、その後、前記第一放電維持電極が低電圧、前記第二放電維持電極は低電圧を維持し、その後、前記第一放電維持電極は低電圧を維持し、前記第二放電維持電極が高電圧、その後、前記第一放電維持電極が低電圧を維持し、前記第二放電維持電極は低電圧となるサイクルを繰り返すことを特徴とする請求項１記載のマトリックス表示装置。
【請求項４】
放電維持動作の際に、交流電圧波形は、前記第一放電維持電極が高電圧、前記第二放電維持電極は低電圧の状態から、その後、前記第一放電維持電極が低電圧、前記第二放電維持電極は高電圧に同時に遷移し、その後、前記第一放電維持電極は低電圧を維持し、前記第二放電維持電極が高電圧を維持し、その後、前記第一放電維持電極が高電圧、前記第二放電維持電極は低電圧に同時に遷移し、その後、前記第一放電維持電極は高電圧を維持し、前記第二放電維持電極が低電圧を維持するサイクルを繰り返すことを特徴とする請求項１記載のマトリックス表示装置。
【請求項５】
放電維持動作の際に、交流電圧波形は、前記第二放電維持電極は前記第一放電維持電極が交流駆動する高電圧と低電圧の中間電位に固定であり、前記第一放電維持電極は低電圧を維持していいる状態から、その後、前記第一放電維持電極が高電圧に遷移し、その後、前記第一放電維持電極は高電圧を維持し、その後、前記第一放電維持電極は低電圧に遷移し、その後、前記第一放電維持電極は低電圧を維持するサイクルを繰り返すことを特徴とする請求項１記載のマトリックス表示装置。
【発明の詳細な説明】
【技術分野】
【０００１】
本発明は、マトリックス表示装置に関し、例えば、プラズマディスプレイパネル（PDP）を用いた装置に関する。
【背景技術】
【０００２】
マトリックス表示装置として、例えば、PDPを用いたフラットパネルディスプレイ（FPD）装置は、安価に薄型化、大型化を図れる利点を有し、FPD市場において、液晶を用いたFPDと並ぶ主要製品となっている。近年これらFPD装置には、大画面化や高精細化等、高画質化が求められると共に、低消費電力化への要求も高まっている。PDPの発光メカニズムは、パネル内の充填ガスに対する高電圧印加による放電で発生する紫外線により、蛍光体を励起して可視光を得るというものであり、その発光を制御する駆動装置には百数十Vの高電圧信号が用いられる。また、パネルの構造は、誘電体やガス等を電極ではさむ構造となるため、大きな容量負荷とみなされる。PDPでは、この容量負荷に対して、前記高電圧信号を印加する際の電力損失が、低消費電力化を達成する障害の一つとなっている。
【０００３】
この容量負荷の充放電に伴う電力損失の低減を目的として、特許文献1が開示されている。ここでは、上記容量負荷に充電されている電力を回収し、再び容量負荷の充電に使用するための電力回収手段であり、電力回収回路において、回収電流経路のスイッチを削減して、電力損失を低減する方法が示されている。具体的には、放電経路の電位が定電圧電源よりも高いときに放電経路から定電圧電源へ電流を流すために電力回収部のスイッチング素子と定電圧電源とをダイオードを介して接続し、放電経路の電位が接地電位よりも低いときに定電圧電源から放電経路へ電流を流すために電力回収部のダイオードと定電圧電源とをダイオードおよびスイッチング素子を介して接続し、回収電流経路のスイッチを削減している。
【０００４】
【特許文献１】特開２００７−５７７３７号公報
【発明の開示】
【発明が解決しようとする課題】
【０００５】
上記特許文献１では、放電経路のスイッチを削減しているが、電力回収経路に直列に接続されているスキャンドライバＩＣのスイッチによる損失を考慮していなかった。スキャンドライバＩＣは、サスディン駆動時は、低電位選択側のスイッチをオンとし、電力回収経路の抵抗損失要因（抵抗成分負荷）となっていた。
【０００６】
そこで、本発明が解決しようとする課題は、損失の低減にある。
【課題を解決するための手段】
【０００７】
本発明の課題を解決するための手段は、表示データに基づき、複数のアドレス電極をスキャン駆動回路でライン毎に駆動して各画素の表示状態を制御し、発光期間では、各表示画素に対応した容量負荷を有する複数の第一の放電維持電極と複数の第二の放電維持電極の間に交流電圧を印加して放電を行い表示を行うマトリックス表示装置であって、前記第一の放電維持電極と前記第二の放電維持電極の交流電圧の駆動の際に、前記容量負荷に対してインダクタを用いてＬＣ共振回路により電力回収を行う第一放電維持電極駆動回路と前記第二の放電維持電極駆動回路を有し、アドレススキャン動作の際には、前記スキャン駆動回路は、前記第一放電電極をライン毎に選択し、放電維持動作の際には、前記第一放電電極の電力回収を行う第一放電維持電極駆動回路として機能することを特徴とするマトリックス表示装置である。
【０００８】
また、例えば、前記スキャン回路は、高電圧出力用スイッチ回路と低電圧出力用スイッチ回路を有し、アドレススキャン動作の際には、非選択ラインに対して前記高電圧出力用スイッチ回路は非選択である高電圧を出力し、選択ラインに対して前記低電圧出力用スイッチ回路は選択である低電圧を出力し、放電維持動作の際には、前記高電圧出力用スイッチ回路は、電力回収動作のクランプアップ動作を行い、前記低電圧出力用スイッチ回路は、電力回収動作の回収スイッチ動作を行う。
【発明の効果】
【０００９】
本発明によれば、スキャン駆動時には、スキャン動作を行うスキャンドライバＩＣを、サスディン駆動時にはサスティン電極のクランプアップ動作、電力回収動作を行う機能として共用することで、サスティン回路の簡略化、電力回収経路のスイッチ削減による抵抗損失の低減を実現する。これにより、プラズマディスプレイ装置の消費電力を低減、回路点数削減による低コスト化が実現可能となる。
【発明を実施するための最良の形態】
【００１０】
以下、図面を用いて、プラズマディスプレイ装置に適用した場合の本発明の具体的な実
施例を説明する。
【００１１】
図１から図４を用いて、第１の実施例を説明する。図１は、プラズマディスプレイ装置の電力回収回路、放電維持電極駆動回路の構成を示す図、図２は駆動回路全体の構成を示す図、図３は電力回収動作及び放電維持動作の駆動電圧波形及び駆動回路の制御信号のタイミングを示す図、図４は従来技術の電力回収回路、放電維持電極駆動回路の構成を示す図である。
【００１２】
図２において、２１はプラズマディスプレイ装置への入力映像信号、２２はコントローラ回路、２７はアドレス電極駆動回路、２８はＹ放電維持電極駆動回路、２９はスキャンドライバＩＣ回路、３０はＸ放電維持電極駆動回路、３１はプラズマパネルである。２３はＹ放電維持電極駆動回路２８の制御信号で、２４はスキャンドライバイＣ２９の制御信号で、２５はアドレス電極駆動回路２７の制御信号で、２６はＸ放電維持電極駆動回路３０の制御信号である。３２はＹ放電維持電極駆動回路２８から出力される駆動電圧で、スキャンドライバＩＣ２９に入力される。３３は、スキャンドライバＩＣ２９から出力される駆動電圧で、プラズマパネル３１のＹ電極を駆動する。３５は、Ｘ放電維持電極駆動回路３０から出力される駆動電圧で、プラズマパネル３１のＸ電極を駆動する。３４は、アドレス電極駆動回路２７から出力される駆動電圧でプラズマパネル３１のアドレス電極（Ａ電極）を駆動する。尚、プラズマパネル３１において、Ｙ電極、Ｘ電極、Ａ電極は、マトリックス表示に対応した画素数に応じて複数で構成されるが、本説明においては、簡略化して電極を表現している。
【００１３】
次に、プラズマパネル３１の駆動動作について説明する。プラズマパネルの駆動は、表示する画素に予備放電を発生させるアドレス駆動期間とアドレス駆動期間で予備放電が発生した画素の表示のための放電を行う放電維持期間に分かれている。アドレス期間では、アドレス入力映像信号２１を受けてコントローラ回路２２はアドレス電極駆動回路２７に１ライン毎の各画素の表示するかしないかを示すアドレスデータを転送し、アドレス電極駆動回路２７は駆動電圧３４として１ライン毎にアドレス電極（Ａ電極）を駆動する。これに同期して、スキャンドライバＩＣ２９は、１ライン毎の選択電圧を駆動電圧３３としてＹ電極に出力し、選択したラインの予備放電を行う。アドレス電極駆動回路２、スキャンドライバＩＣ２９は、これらの動作を同期して順次行うことで、全ラインの予備放電動作を実行する。例えば、パネル３１の垂直解像度が１０８０ラインの場合、１ラインから１０８０ラインまで順次、スキャンドライバＩＣ２９が走査し、それに同期したラインのアドレスデータに対応した駆動電圧３４をアドレス電極駆動回路２７が出力する。放電維持期間では、アドレス期間で予備放電を行った画素に対して、Ｙ電極とＸ電極を駆動することで、Ｙ電極とＸ電極の間で表示のための維持放電を行う。Ｙ電極とＸ電極間に２Ｖｓの電圧を交流して印加するように、Ｙ電極に＋Ｖｓ電圧、Ｘ電極に−Ｖｓ電圧を印加し、Ｙ電極に−Ｖｓ電圧、Ｘ電極に＋Ｖｓ電圧を印加する動作を交互に行う。Ｙ放電維持電極駆動回路２８、Ｘ放電維持電極駆動回路３０では、コントローラ回路２２からの制御信号２３、制御信号２６を受けて、このような交流駆動電圧＋Ｖｓ電圧と−Ｖｓ電圧を出力する。ＸＸ電極はＸ放電維持電極駆動回路３０から出力される駆動電圧３５で駆動される。Ｙ放電維持電極駆動回路２８から出力される駆動電圧３２は、一旦、スキャンドライバＩＣ２９を経由して駆動電圧３３が出力され、Ｙ電極は駆動電圧３３により駆動される。放電維持期間では、Ｙ電極、Ｘ電極はこのような交流駆動が行われ、Ｙ電極、Ｘ電極の間で表示の維持放電が行われ維持放電電流が流れるが、それに加え、Ｙ電極、Ｘ電極の間の容量Ｃｘｙを充放電を行うための充放電電流も流れることになる。このため、放電維持期間では、この充放電電力を削減するため、ＬＣ共振回路を用いた電力回収回路により電力回収動作を行い、消費電力の低減を図っている。
【００１４】
次に、放電維持期間の駆動回路動作を詳細に説明する。図４は従来技術によるＹ放電維持電極駆動回路２８、Ｘ放電維持電極駆動回路３０を示している。図４において、アドレス期間の間スキャンドライバＩＣ２９は、１ライン毎の走査動作を行い選択ラインを駆動する際は低電圧出力用スイッチ回路ＳＣＬは導通状態、高電圧出力用スイッチ回路ＳＣＨは非導通状態とし、非選択ラインを駆動する際は低電圧出力用スイッチ回路ＳＣＬは非導通状態、高電圧出力用スイッチ回路ＳＣＨは導通状態とする。また、放電維持期間の間スキャンドライバＩＣ２９は、低電圧出力用スイッチ回路ＳＣＬは導通状態であり、高電圧出力用スイッチ回路ＳＣＨは非導通状態としていた。尚、Ｙ放電維持電極駆動回路２８、Ｘ放電維持電極駆動回路３０は、プラズマパネル１個に対してそれぞれ１個の構成であるが、スキャンドライバＩＣ２９は複数のＹ電極に対応して複数のスイッチ回路がそれぞれのＹ電極を駆動する構成となっているが、図４においては、スキャンドライバＩＣ２９は、図２と同様に１出力のみを示す構成に簡略した構成で説明している。図４において、Ｙ放電維持電極駆動回路２８は、容量Ｃｘｙの電荷を回収するため、インダクタＬｙ、スイッチ回路Ｓ１ｙ、スイッチ回路Ｓ２ｙを用いて、＋Ｖｓ電圧、−Ｖｓ電圧近くまで電圧遷移させ、その後、電力回収動作で回収できなかった電圧を、スイッチ回路Ｓ３ｙ、スイッチ回路Ｓ４ｙでそれぞれ＋Ｖｓ電圧、−Ｖｓ電圧までクランプ動作を行う。Ｘ放電維持電極駆動回路３０でも同様に、容量Ｃｘｙの電荷を回収するため、インダクタＬｘ、スイッチ回路Ｓ１ｘ、スイッチ回路Ｓ２ｘを用いて、＋Ｖｓ電圧、−Ｖｓ電圧近くまで電圧遷移させ、その後、電力回収動作で回収できなかった電圧を、スイッチ回路Ｓ３ｘ、スイッチ回路Ｓ４ｘでそれぞれ＋Ｖｓ電圧、−Ｖｓ電圧までクランプ動作を行う。
このように、従来技術では、放電維持期間にスキャンドライバＩＣを経由して、電力回収動作を行っていた。従がって、電量回収時にスキャンドライバＩＣが抵抗駆動負荷となり電力回収効率が向上できなかった。
【００１５】
次に、図１を用いて本実施例の放電維持期間の駆動回路動作を詳細に説明する。図１において、２８はＹ放電維持電極駆動回路、３０はＸ放電維持電極駆動回路を示しており、アドレス期間の間スキャンドライバＩＣ２９は、１ライン毎の走査動作を行い選択ラインを駆動する際は低電圧出力用スイッチ回路ＳＣＬは導通状態、高電圧出力用スイッチ回路ＳＣＨは非導通状態とし、非選択ラインを駆動する際は低電圧出力用スイッチ回路ＳＣＬは非導通状態、高電圧出力用スイッチ回路ＳＣＨは導通状態とする。また、放電維持期間の間スキャンドライバＩＣ２９は、Ｙ電極の電力回収動作時及び−Ｖｓ電圧へのクランプ動作時に低電圧出力用スイッチ回路ＳＣＬは導通状態であり、高電圧出力用スイッチ回路ＳＣＨは非導通状態とし、Ｙ電極の＋Ｖｓ電圧へのクランプ動作時に低電圧出力用スイッチ回路ＳＣＬは非導通状態であり、高電圧出力用スイッチ回路ＳＣＨは導通状態とする。尚、Ｙ放電維持電極駆動回路２８、Ｘ放電維持電極駆動回路３０は、プラズマパネル１個に対してそれぞれ１個の構成であるが、スキャンドライバＩＣ２９は複数のＹ電極に対応して複数のスイッチ回路がそれぞれのＹ電極を駆動する構成となっているが、図４においては、スキャンドライバＩＣ２９は、図２と同様に１出力のみを示す構成に簡略した構成で説明している。
【００１６】
次に、図１、図３を用いて、詳細な駆動動作の制御信号のタイミングを示す。図３は、図１の各スイッチの導通、非導通動作のタイミングを示しており、各制御信号はハイレベルで導通状態（オン状態）、ロウレベルで非導通状態（オフ状態）を示している。図３において、Ｙ電極の動作は、Ｓ１ｙがオン状態となり、Ｙ電極が−Ｖｓ電圧から共振動作により＋Ｖｓ電圧付近まで遷移している。その後、ＳＣＨがオン状態となり、＋Ｖｓ電圧付近から＋Ｖｓ電圧にクランプ動作を行う。その後、ＳＣＬがオン状態となり、Ｙ電極が＋Ｖｓ電圧から共振動作により−Ｖｓ電圧付近まで遷移し、Ｓ４ｙがオン状態となり−Ｖｓ電圧付近から−Ｖｓ電圧にクランプ動作を行う。また、図３において、Ｘ電極の動作は、Ｓ１ｘがオン状態となり、Ｘ電極が−Ｖｓ電圧から共振動作により＋Ｖｓ電圧付近まで遷移している。その後、Ｓ３ｘがオン状態となり、＋Ｖｓ電圧付近から＋Ｖｓ電圧にクランプ動作を行う。その後、Ｓ２ｘがオン状態となり、Ｙ電極が＋Ｖｓ電圧から共振動作により−Ｖｓ電圧付近まで遷移し、Ｓ４ｘがオン状態となり−Ｖｓ電圧付近から−Ｖｓ電圧にクランプ動作を行う。以上により、本発明の電力回収経路のスイッチ回路及びダイオード回路は、ＳＣＬ、Ｓ１ｙの２回路構成となり、従来技術のＳＣＬ、Ｓ１ｙ、Ｄ３ｙまたはＳＣＬ、Ｓ２ｙ、Ｄ４ｙの３回路構成に比べて部品点数を削減することができる。
以上により、スキャンドライバＩＣ２９を放電維持期間に電力回収動作に用いることで、従来技術に比べ、電力回収回路の電力回収経路の回路部品点数を削減し、抵抗負荷を削減できるため、電力回収効率を向上させることができる。
【００１７】
次に、第２の実施例について図５、図６を用いて説明する。第２の実施例は、図２に示したプラズマパネルの駆動回路の構成は第１の実施例と同様であり、第１の実施例に比べて、Ｙ放電維持電極駆動回路２８、Ｘ放電維持電極駆動回路３０の共振動作の電力回収動作が異なる。したがって、図５、図６を用いて、詳細な駆動動作について説明する。図５はプラズマディスプレイ装置の電力回収回路、放電維持電極駆動回路の構成を示す図、図６は電力回収動作及び放電維持動作の駆動電圧波形及び駆動回路の制御信号のタイミングを示す図である。第２の実施例では、アドレス動作時のスキャンドライバＩＣの動作は第１の実施例と同様であり、Ｙ電極、Ｘ電極を同時に共振動作により容量Ｃｘｙの電荷を遷移させる点が異なる。
【００１８】
図６は、図５の各スイッチの導通、非導通動作のタイミングを示しており、各制御信号はハイレベルで導通状態（オン状態）、ロウレベルで非導通状態（オフ状態）を示している。図６において、Ｙ電極は、Ｓ１ｙがオン状態となり、−Ｖｓ電圧から共振動作により＋Ｖｓ電圧付近まで遷移しており、同時にＸ電極も＋Ｖｓ電圧から共振動作により−Ｖｓ電圧付近まで遷移する。その後、ＳＣＨがオン状態となり、Ｙ電極は＋Ｖｓ電圧付近から＋Ｖｓ電圧にクランプ動作を行い、Ｓ４ｘがオン状態となり、Ｘ電極は−Ｖｓ電圧付近から−Ｖｓ電圧にクランプ動作を行う。その後、ＳＣＬがオン状態となり、Ｙ電極が＋Ｖｓ電圧から共振動作により−Ｖｓ電圧付近まで遷移し、同時にＸ電極も−Ｖｓ電圧から共振動作により＋Ｖｓ電圧付近まで遷移する。その後、Ｓ４ｙがオン状態となり、Ｙ電極は−Ｖｓ電圧付近から−Ｖｓ電圧にクランプ動作を行い、Ｓ３ｘがオン状態となり、Ｘ電極は＋Ｖｓ電圧付近から＋Ｖｓ電圧にクランプ動作を行う。
以上により、本発明の電力回収経路のスイッチ回路及びダイオード回路は、ＳＣＬ、Ｓ１ｙの２回路構成となり、従来技術のＳＣＬ、Ｓ１ｙ、Ｄ３ｙまたはＳＣＬ、Ｓ２ｙ、Ｄ４ｙの３回路構成に比べて部品点数を削減することができる。
以上により、スキャンドライバＩＣ２９を放電維持期間に電力回収動作に用いることで、従来技術に比べ、電力回収回路の電力回収経路の回路部品点数を削減し、抵抗負荷を削減できるため、電力回収効率を向上させることができる。
【００１９】
次に、第３の実施例について図７、図８、図９を用いて説明する。第３の実施例は、図７に示したプラズマパネルの駆動回路の構成が第１の実施例と異なり、Ｘ電極をグランド電圧レベルに固定し、Ｙ電極、Ｘ電極間に２Ｖｓ電圧を印加するためＹ電極を＋２Ｖｓ電圧と−２Ｖｓで駆動する。第１の実施例に比べて、Ｙ放電維持電極駆動回路の電力回収動作が異なる。図７はプラズマパネルの駆動回路の構成を示しており、６１は、Ｙ放電維持電極駆動回路、６２はスキャンドライバＩＣであり、６３はＹ放電維持電極駆動回路６１から出力される駆動電圧で、スキャンドライバＩＣ６２に入力される。６４は、スキャンドライバＩＣ６２から出力される駆動電圧で、プラズマパネル３１のＹ電極を駆動する。６５は、プラズマパネル３１のＸ電極をグランドレベルに固定する駆動電圧である。図８はプラズマディスプレイ装置の電力回収回路、放電維持電極駆動回路の構成を示す図、図９は電力回収動作及び放電維持動作の駆動電圧波形及び駆動回路の制御信号のタイミングを示す図である。第３の実施例では、アドレス動作時のスキャンドライバＩＣの動作は第１の実施例と同様であり、Ｘ電極をグランドレベルに固定し、Ｙ電極を駆動する点が異なる。
【００２０】
図９は、図８の各スイッチの導通、非導通動作のタイミングを示しており、各制御信号はハイレベルで導通状態（オン状態）、ロウレベルで非導通状態（オフ状態）を示している。図９において、Ｘ電極はグランドレベルに固定であり、Ｙ電極は、Ｓ１ｙがオン状態となり、−２Ｖｓ電圧から共振動作により＋２Ｖｓ電圧付近まで遷移する。その後、ＳＣＨがオン状態となり、Ｙ電極は＋２Ｖｓ電圧付近から＋２Ｖｓ電圧にクランプ動作を行う。その後、ＳＣＬがオン状態となり、Ｙ電極が＋２Ｖｓ電圧から共振動作により−２Ｖｓ電圧付近まで遷移する。その後、Ｓ４ｙがオン状態となり、Ｙ電極は−２Ｖｓ電圧付近から−２Ｖｓ電圧にクランプ動作を行う。
【００２１】
以上により、本発明の電力回収経路のスイッチ回路及びダイオード回路は、ＳＣＬ、Ｓ１ｙの２回路構成となり、従来技術のＳＣＬ、Ｓ１ｙ、Ｄ３ｙまたはＳＣＬ、Ｓ２ｙ、Ｄ４ｙの３回路構成に比べて部品点数を削減することができる。
【００２２】
以上により、スキャンドライバＩＣ２９を放電維持期間に電力回収動作に用いることで、従来技術に比べ、電力回収回路の電力回収経路の回路部品点数を削減し、抵抗負荷を削減できるため、電力回収効率を向上させることができる。
【図面の簡単な説明】
【００２３】
【図１】第１の実施例に係る電力回収回路の概要を示す図である。
【図２】第１の実施例に係るプラズマディスプレイ装置の駆動回路の概略構成を示す図である。
【図３】第１の実施例に係る電力回収回路の駆動波形を示す図である。
【図４】従来技術に係る電力回収回路の概要を示す図である。
【図５】第２の実施例の電力回収回路の概略構成を示す図である。
【図６】第２の実施例に係る電力回収回路の駆動波形を示す図である。
【図７】第３の実施例に係るプラズマディスプレイ装置の駆動回路の概略構成を示す図である。
【図８】第３の実施例の電力回収回路の概略構成を示す図である。
【図９】第３の実施例に係る電力回収回路の駆動波形を示す図である。
【符号の説明】
【００２４】
２１…外部から供給される入力映像信号、２２…コントローラ回路、２３…制御信号、２４…制御信号、２５…制御信号、２６…制御信号、２７…アドレス電極駆動回路、２８…Ｙ放電維持電極駆動回路、２９…スキャンドライバＩＣ、３０…Ｘ放電維持電極駆動回路、３１…プラズマパネル。
【図１】
2010169839.tif 000003
【図２】
2010169839.tif 000004
【図３】
2010169839.tif 000005
【図４】
2010169839.tif 000006
【図５】
2010169839.tif 000007
【図６】
2010169839.tif 000008
【図７】
2010169839.tif 000009
【図８】
2010169839.tif 000010
【図９】
2010169839.tif 000011